(57)【要約】【課題】原本性が重要な文書の原本性を確保しつつ当該文書を複数部数印刷することができる技術を提供する。【解決手段】第１媒体供給部と、第２媒体供給部と、文書データの複数部数の印刷指示を受けた場合に、当該複数部数のうち予め設定された部数Ｎｐに達するまでは第１媒体供給部から供給された第１記録媒体に対して当該文書データの画像を形成し、以降の部数については第２媒体供給部から供給された媒体に対して当該文書データの画像を形成する画像形成部とを備える。【選択図】図６
2018011195.tif 000002
【特許請求の範囲】
【請求項１】
第１の給紙部と、
第２の給紙部と、
文書データの複数部数の印刷指示を受けた場合に、当該複数部数のうち予め設定された部数に達するまでは前記第１の給紙部から供給された媒体に対して当該文書データの画像を形成し、以降の部数については前記第２の給紙部から供給された媒体に対して当該文書データの画像を形成する画像形成部と
を備える画像形成装置。
【請求項２】
前記画像形成部は、前記文書データが前記第１の給紙部から供給された媒体に対しての画像形成を要する場合に、前記予め設定された部数に達するまでは当該第１の給紙部から供給された媒体に対して画像を形成する
請求項１に記載の画像形成装置。
【請求項３】
前記第１の給紙部から供給される媒体を収容する部位は施錠されている
請求項１又は２に記載の画像形成装置。
【請求項４】
前記文書データに関連付けて当該文書データの画像を前記第１の給紙部から供給された媒体に対して形成した旨の情報を記憶する記憶手段を備え、
前記画像形成部は、前記文書データの印刷指示を再度受けた場合には前記第２の給紙部から供給された媒体に対して画像を形成する
請求項１から３のいずれか１項に記載の画像形成装置。
【請求項５】
前記文書データに関連付けて当該文書データの画像を前記第１の給紙部から供給された媒体に対して形成した累積部数を記憶する記憶手段を備え、
前記画像形成部は、前記文書データの印刷指示を再度受けた場合に、前記累積部数が前記予め設定された部数に達した以降の部数については前記第２の給紙部から供給された媒体に対して当該文書データの画像を形成する
請求項１から４のいずれか１項に記載の画像形成装置。
【請求項６】
前記画像形成部は、前記文書データの複数部数の印刷指示を再度受けた時点では前記累積部数が前記予め設定された部数を超えていない場合に、当該複数部数のうち当該累積部数が当該予め設定された部数に達するまでは前記第１の給紙部から供給された媒体に対して当該文書データの画像を形成し、当該累積部数が当該予め設定された部数に達した以降の部数については前記第２の給紙部から供給された媒体に対して当該文書データの画像を形成する
請求項５に記載の画像形成装置。
【請求項７】
媒体を供給する供給手段と、
データの複数部数の画像形成指示を受けた場合に、当該データに対して予め設定された部数に達するまでは前記供給手段から供給された媒体に対して画像を形成し、当該予め設定された部数を超える分については、当該供給手段から供給された媒体に対して画像を形成しない画像形成手段と
を備える画像形成装置。
【請求項８】
第１媒体に対して文書データの画像を形成する第１画像形成装置と、
第２媒体に対して前記文書データの画像を形成する第２画像形成装置と、
を備え、
前記文書データが予め定められた条件を満たす場合には、当該文書データの画像を形成する複数部数のうち予め設定された部数に達するまでは前記第１画像形成装置にて画像を形成し、以降の部数については前記第２画像形成装置にて画像を形成する
画像形成システム。
【請求項９】
前記文書データが前記第１媒体に対しての画像形成を要する場合に、前記予め設定された部数に達するまでは前記第１画像形成装置にて画像を形成する
請求項８に記載の画像形成システム。
【請求項１０】
前記第１画像形成装置における前記第１媒体を収容する部位は施錠されている
請求項８又は９に記載の画像形成システム。
【請求項１１】
前記文書データに関連付けて当該文書データの画像を前記第１画像形成装置にて形成した旨の情報を記憶する記憶手段を備え、
前記文書データの印刷指示を再度受けた場合には前記第２画像形成装置にて画像を形成する
請求項８から１０のいずれか１項に記載の画像形成システム。
【請求項１２】
前記文書データに関連付けて当該文書データの画像を前記第１画像形成装置にて形成した累積部数を記憶する記憶手段を備え、
前記文書データの印刷指示を再度受けた場合に、当該累積部数が前記予め設定された部数に達した以降の部数については前記第２画像形成装置にて当該文書データの画像を形成する
請求項８から１１のいずれか１項に記載の画像形成システム。
【請求項１３】
前記文書データの複数部数の印刷指示を再度受けた時点では前記累積部数が前記予め設定された部数を超えていない場合に、当該複数部数のうち当該累積部数が当該予め設定された部数に達するまでは前記第１画像形成装置にて当該文書データの画像を形成し、当該累積部数が当該予め設定された部数に達した以降の部数については前記第２画像形成装置にて当該文書データの画像を形成する
請求項１２に記載の画像形成システム。
【請求項１４】
前記文書データの印刷を要求する要求装置をさらに備え、
前記要求装置は、前記文書データが前記予め定められた条件を満たす場合には、前記予め設定された部数に達するまでは前記第１画像形成装置に画像を形成させ、以降の部数については前記第２画像形成装置に画像を形成させる
請求項８から１３のいずれか１項に記載の画像形成システム。
【請求項１５】
文書データを記憶する記憶装置と、
前記文書データの画像を媒体に形成する画像形成装置と、
を備え、
前記画像形成装置は、
第１の給紙部と、
第２の給紙部と、
前記記憶装置に記憶された前記文書データの複数部数の印刷指示を受けた場合に、当該複数部数のうち予め設定された部数に達するまでは前記第１の給紙部から供給された媒体に対して当該文書データの画像を形成し、以降の部数については前記第２の給紙部から供給された媒体に対して当該文書データの画像を形成する画像形成部と
を有する画像形成システム。
【発明の詳細な説明】
【技術分野】
【０００１】
本発明は、画像形成装置、画像形成システムに関する。
【背景技術】
【０００２】
例えば、特許文献１に記載の複写印刷装置は、原本と複写物の区別を行うため印刷用紙を変更選択する用紙選択機構と、質の異なった複数の用紙を用紙選択機構の指示により選択供給する複数給紙部とを備えている。また、特許文献１に記載の複写印刷装置は、原本を印刷している場合（Ｃ＝１）、用紙選択機構に原本用の用紙を供給するよう指示し、複写物を印刷している場合（Ｃ＞１）にも用紙選択機構にその旨通知し、用紙選択機構は複数給紙部に原本と違った用紙を搬送部に供給する様に制御する印刷制御部を備えている。
【先行技術文献】
【特許文献】
【０００３】
【特許文献１】特開平６−６４２４８号公報
【発明の概要】
【発明が解決しようとする課題】
【０００４】
原本性が重要な文書を取得した者は、取得した当該文書を別途複写機にて複写（コピー）処理する場合がある。それゆえ、原本性が重要な文書の印刷処理とその文書の複写物（コピー）の印刷処理とを１つの印刷指示で行えることが望ましい。加えて、印刷処理する原本性が重要な文書の部数は、当該文書の種類等に応じて異なることから、原本性が重要な文書を複数部数印刷できることが望ましい。
本発明は、原本性が重要な文書の原本性を確保しつつ当該文書を複数部数印刷することができる画像形成装置、画像形成システムを提供することを目的とする。
【課題を解決するための手段】
【０００５】
請求項１に記載の発明は、第１の給紙部と、第２の給紙部と、文書データの複数部数の印刷指示を受けた場合に、当該複数部数のうち予め設定された部数に達するまでは前記第１の給紙部から供給された媒体に対して当該文書データの画像を形成し、以降の部数については前記第２の給紙部から供給された媒体に対して当該文書データの画像を形成する画像形成部とを備える画像形成装置である。
請求項２に記載の発明は、前記画像形成部は、前記文書データが前記第１の給紙部から供給された媒体に対しての画像形成を要する場合に、前記予め設定された部数に達するまでは当該第１の給紙部から供給された媒体に対して画像を形成する画像形成装置である。
請求項３に記載の発明は、前記第１の給紙部から供給される媒体を収容する部位は施錠されている画像形成装置である。
請求項４に記載の発明は、前記文書データに関連付けて当該文書データの画像を前記第１の給紙部から供給された媒体に対して形成した旨の情報を記憶する記憶手段を備え、前記画像形成部は、前記文書データの印刷指示を再度受けた場合には前記第２の給紙部から供給された媒体に対して画像を形成する画像形成装置である。
請求項５に記載の発明は、前記文書データに関連付けて当該文書データの画像を前記第１の給紙部から供給された媒体に対して形成した累積部数を記憶する記憶手段を備え、前記画像形成部は、前記文書データの印刷指示を再度受けた場合に、前記累積部数が前記予め設定された部数に達した以降の部数については前記第２の給紙部から供給された媒体に対して当該文書データの画像を形成する画像形成装置である。
請求項６に記載の発明は、前記画像形成部は、前記文書データの複数部数の印刷指示を再度受けた時点では前記累積部数が前記予め設定された部数を超えていない場合に、当該複数部数のうち当該累積部数が当該予め設定された部数に達するまでは前記第１の給紙部から供給された媒体に対して当該文書データの画像を形成し、当該累積部数が当該予め設定された部数に達した以降の部数については前記第２の給紙部から供給された媒体に対して当該文書データの画像を形成する画像形成装置である。
請求項７に記載の発明は、媒体を供給する供給手段と、データの複数部数の画像形成指示を受けた場合に、当該データに対して予め設定された部数に達するまでは前記供給手段から供給された媒体に対して画像を形成し、当該予め設定された部数を超える分については、当該供給手段から供給された媒体に対して画像を形成しない画像形成手段とを備える画像形成装置である。
請求項８に記載の発明は、第１媒体に対して文書データの画像を形成する第１画像形成装置と、第２媒体に対して前記文書データの画像を形成する第２画像形成装置と、を備え、前記文書データが予め定められた条件を満たす場合には、当該文書データの画像を形成する複数部数のうち予め設定された部数に達するまでは前記第１画像形成装置にて画像を形成し、以降の部数については前記第２画像形成装置にて画像を形成する画像形成システムである。
請求項９に記載の発明は、前記文書データが前記第１媒体に対しての画像形成を要する場合に、前記予め設定された部数に達するまでは前記第１画像形成装置にて画像を形成する画像形成システムである。
請求項１０に記載の発明は、前記第１画像形成装置における前記第１媒体を収容する部位は施錠されている画像形成システムである。
請求項１１に記載の発明は、前記文書データに関連付けて当該文書データの画像を前記第１画像形成装置にて形成した旨の情報を記憶する記憶手段を備え、前記文書データの印刷指示を再度受けた場合には前記第２画像形成装置にて画像を形成する画像形成システムである。
請求項１２に記載の発明は、前記文書データに関連付けて当該文書データの画像を前記第１画像形成装置にて形成した累積部数を記憶する記憶手段を備え、前記文書データの印刷指示を再度受けた場合に、当該累積部数が前記予め設定された部数に達した以降の部数については前記第２画像形成装置にて当該文書データの画像を形成する画像形成システムである。
請求項１３に記載の発明は、前記文書データの複数部数の印刷指示を再度受けた時点では前記累積部数が前記予め設定された部数を超えていない場合に、当該複数部数のうち当該累積部数が当該予め設定された部数に達するまでは前記第１画像形成装置にて当該文書データの画像を形成し、当該累積部数が当該予め設定された部数に達した以降の部数については前記第２画像形成装置にて当該文書データの画像を形成する画像形成システムである。
請求項１４に記載の発明は、前記文書データの印刷を要求する要求装置をさらに備え、前記要求装置は、前記文書データが前記予め定められた条件を満たす場合には、前記予め設定された部数に達するまでは前記第１画像形成装置に画像を形成させ、以降の部数については前記第２画像形成装置に画像を形成させる画像形成システムである。
請求項１５に記載の発明は、文書データを記憶する記憶装置と、前記文書データの画像を媒体に形成する画像形成装置と、を備え、前記画像形成装置は、第１の給紙部と、第２の給紙部と、前記記憶装置に記憶された前記文書データの複数部数の印刷指示を受けた場合に、当該複数部数のうち予め設定された部数に達するまでは前記第１の給紙部から供給された媒体に対して当該文書データの画像を形成し、以降の部数については前記第２の給紙部から供給された媒体に対して当該文書データの画像を形成する画像形成部とを有する画像形成システムである。
【発明の効果】
【０００６】
請求項１の発明によれば、原本性が重要な文書の原本性を確保しつつ当該文書を複数部数印刷することが実現される。
請求項２の発明によれば、文書の原本性を確保する確度が高められる。
請求項３の発明によれば、文書の原本性を確保する確度がより高められる。
請求項４の発明によれば、確度高く文書の原本性が確保される。
請求項５の発明によれば、文書の原本性を確度高く確保しつつ当該文書を複数回印刷することが実現される。
請求項６の発明によれば、文書の原本性をより確度高く確保しつつ当該文書を複数回印刷することが実現される。
請求項７の発明によれば、原本性が重要な文書の原本性を確保しつつ当該文書を複数部数印刷することが実現される。
請求項８の発明によれば、原本性が重要な文書の原本性を確保しつつ当該文書を複数部数印刷することが実現される。
請求項９の発明によれば、文書の原本性を確保する確度が高められる。
請求項１０の発明によれば、文書の原本性を確保する確度がより高められる。
請求項１１の発明によれば、確度高く文書の原本性が確保される。
請求項１２の発明によれば、文書の原本性を確度高く確保しつつ当該文書を複数回印刷することが実現される。
請求項１３の発明によれば、文書の原本性をより確度高く確保しつつ当該文書を複数回印刷することが実現される。
請求項１４の発明によれば、原本性が重要な文書の原本性を確保しつつ当該文書を複数部数印刷することが実現される。
請求項１５の発明によれば、原本性が重要な文書の原本性を確保しつつ当該文書を複数部数印刷することが実現される。
【図面の簡単な説明】
【０００７】
【図１】第１の実施形態に係る画像形成システムの概略構成を例示した図である。
【図２】第１の実施形態に係る端末装置のハードウェア構成を例示したブロック図である。
【図３】第１の実施形態に係る画像形成装置の概略構成図である。
【図４】第１の実施形態に係る画像形成装置の制御部の機能構成を示すブロック図である。
【図５】印刷ジョブの中に含まれる情報を示す図である。
【図６】画像形成装置の制御部が行う画像形成処理を示すフローチャートである。
【図７】第２の実施形態に係る画像形成システムの概略構成を例示した図である。
【図８】第２の実施形態に係る画像形成システムにおける動作例を示したシーケンス図である。
【図９】端末装置が行う印刷要求処理を示すフローチャートである。
【図１０】第３の実施形態に係る画像形成システムの概略構成を例示した図である。
【図１１】管理装置の機能構成を示すブロック図である。
【図１２】第３の実施形態に係る画像形成システムにおける動作例を示したシーケンス図である。
【図１３】管理装置が行う画像形成処理を示すフローチャートである。
【図１４】第４の実施形態に係る画像形成システムの概略構成を例示した図である。
【図１５】第４の実施形態に係る画像形成システムにおける動作例を示したシーケンス図である。
【図１６】第５の実施形態に係る画像形成システムの概略構成を例示した図である。
【図１７】第５の実施形態に係る画像形成システムにおける動作例を示したシーケンス図である。
【図１８】第６の実施形態に係る画像形成システムの概略構成を例示した図である。
【図１９】第６の実施形態に係る画像形成システムにおける動作例を示したシーケンス図である。
【発明を実施するための形態】
【０００８】
以下、添付図面を参照して、実施の形態について詳細に説明する。
【０００９】
［第１の実施形態］
図１は、本発明の第１の実施形態に係る画像形成システム１の概略構成を例示した図である。
画像形成システム１は、文書の複写機能、読み取った文書の画像データを生成する機能、画像データが示す画像を用紙等の記録媒体に形成する機能を有する画像形成装置１０を備えている。
また、画像形成システム１は、ユーザが入力した情報を受け付けたりユーザに対して情報を出力したりする端末装置２０を備えている。
画像形成装置１０及び端末装置２０は装置間を通信可能に接続する通信回線３０に接続されており、通信回線３０を介して互いに通信を行うことが可能となっている。
なお、本明細書において、「記録媒体」は、画像を形成可能な媒体であれば、その材質は問わない。代表例は紙であるが、ＯＨＰシートや金属板等であっても構わない。
【００１０】
図２は、第１の実施形態に係る端末装置２０のハードウェア構成を例示したブロック図である。
図２に示すように、端末装置２０は、ＣＰＵ（Central Processing Unit）２０１と、メインメモリ２０２及びＨＤＤ（Hard Disk Drive）２０３とを備える。また、端末装置２０は、外部との通信を行うための通信インターフェース（通信Ｉ／Ｆ）２０４と、ビデオメモリやディスプレイ等からなる表示機構２０５と、キーボードやマウス等の入力デバイス２０６とを備える。
【００１１】
なお、ＣＰＵ２０１によって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いて端末装置２０にダウンロードさせても良い。
【００１２】
図３は、第１の実施形態に係る画像形成装置１０の概略構成図である。
画像形成装置１０は、原稿の画像を読み取る画像読取部１１０と、記録媒体上に画像を形成する画像形成手段の一例としての画像形成部１２０と、ＣＰＵ、ＲＯＭ（Read Only Memory）、ＲＡＭ（Random Access Memory）などからなるマイクロコンピュータを有し、装置全体の動作を制御する制御部１３０とを備えている。また、画像形成装置１０は、タッチパネル等により構成され、ユーザから受けた指示を制御部１３０に出力するとともに制御部１３０からの情報をユーザに提示するユーザインタフェース（ＵＩ）１４０を備えている。また、画像形成装置１０は、画像形成部１２０の下方に設けられて、記録媒体を収容するとともに画像形成部１２０に対して記録媒体を供給する供給部１５０と、画像形成部１２０の上方に設けられて、画像形成部１２０にて画像が形成された記録媒体を排出する排出部１６０とを備えている。
【００１３】
画像読取部１１０は、プラテンガラス（不図示）と、光を原稿の被読取面（画像面）へ照射する光照射ユニット（不図示）と、光照射ユニットから原稿の被読取面へ光が照射されて原稿の被読取面で反射した反射光を導く導光ユニット（不図示）と、導光ユニットによって導かれた光の光学像を結像する結像レンズ（不図示）とを備えている。また、画像読取部１１０は、結像レンズによって結像された光を光電変換するＣＣＤ（Charge Coupled Device）イメージセンサ等の光電変換素子で構成され、結像された光学像を検出する検出部（不図示）と、検出部と電気的に接続されて、検出部によって得られた電気信号が送られる画像処理部とを備えている。
そして、画像読取部１１０は、原稿搬送部によって搬送される原稿の画像、及びプラテンガラスに載せられた原稿の画像を読み取る。
【００１４】
画像形成部１２０は、一定の間隔を置いて並列的に配置されるイエロー、マゼンタ、シアン、黒の４つの画像形成ユニット（不図示）を備えている。各画像形成ユニットは、感光体ドラム（不図示）と、感光体ドラムの表面を一様に帯電する帯電器（不図示）と、トナーで現像し可視化する現像器（不図示）と、現像器に対して各色のトナーを供給するためのトナーカートリッジ（不図示）とを有している。
また、画像形成部１２０は、感光体ドラムに対してレーザ光を照射する光学系ユニット（不図示）と、感光体ドラムに形成された各色のトナー像を中間転写ベルト（不図示）上に多重転写させる中間転写ユニット（不図示）とを備えている。また、画像形成部１２０は、中間転写ユニット上に重畳されて形成されたトナー像を記録媒体に転写する二次転写ユニット（不図示）と、記録媒体上に形成されたトナー像を加熱及び加圧して定着する定着装置（不図示）とを備えている。
【００１５】
供給部１５０は、第１記録媒体Ｐ１を収容するとともに画像形成部１２０に対して第１記録媒体Ｐ１を供給する供給手段、第１の給紙部の一例としての第１媒体供給部１５１と、第２記録媒体Ｐ２を収容するとともに画像形成部１２０に対して第２記録媒体Ｐ２を供給する第２の給紙部の一例としての第２媒体供給部１５２とを備えている。
第１媒体供給部１５１及び第２媒体供給部１５２は、それぞれ記録媒体を収容する媒体収容部１５６と、媒体収容部１５６の各々に収容された記録媒体を送り出す送出ロール１５７とを備えている。また、第１媒体供給部１５１及び第２媒体供給部１５２は、それぞれ送出ロール１５７にて送り出された記録媒体が搬送される搬送路１５８と、搬送路１５８に沿って配置され送出ロール１５７によって送り出された記録媒体を二次転写位置へ搬送する搬送ロール１５９とを備えている。
【００１６】
第１の実施形態に係る第１媒体供給部１５１は、原本専用の第１記録媒体Ｐ１を収容する。つまり、第１媒体供給部１５１から供給された第１記録媒体Ｐ１に、画像形成部１２０にて文書データの画像が形成された物は原本となる。
第１の実施形態に係る第２媒体供給部１５２は、複写（コピー）用の第２記録媒体Ｐ２を収容する。つまり、第２媒体供給部１５２から供給された第２記録媒体Ｐ２に、画像形成部１２０にて文書データの画像が形成された物は複写物となる。
なお、第１媒体供給部１５１の媒体収容部１５６は施錠されており、権限のない者は開閉不可であると良い。
【００１７】
図４は、第１の実施形態に係る画像形成装置１０の制御部１３０の機能構成を示すブロック図である。
制御部１３０は、端末装置２０から印刷ジョブを含む印刷要求（記録媒体への画像形成の要求）を受信する印刷要求受信部１３１と、印刷ジョブを記憶する印刷ジョブ記憶部１３２と、印刷履歴を記憶する記憶手段の一例としての印刷履歴記憶部１３３と、印刷要求受信部１３１が受信した印刷ジョブを実行することにより文書データの印刷を制御する印刷制御部１３４とを備えている。
【００１８】
ここで、印刷ジョブとは、文書データの印刷を指示する印刷指示情報に基づいて画像形成装置１０で実行される処理の単位であるが、本明細書では、印刷指示情報のことを印刷ジョブということもある。
また、本明細書では、記録媒体に記録する画像の元となる電子データを「文書データ」と称す。「文書データ」は、テキストを含む「文書」を電子化したデータのみを意味するものではない。例えば、絵、写真、図形等の画像データ（ラスタデータかベクターデータかによらない）、データベース管理ソフトウェアや表計算ソフトウェアで記録されるデータ、その他の印刷可能な電子データも含めて「文書データ」と称す。
印刷履歴記憶部１３３は、文書データを識別する識別番号である文書ＩＤと、原本対象データか否かのフラグ（原本フラグ）と、既に原本印刷済か否かの情報及び原本印刷済である場合には原本印刷した累積部数の情報とを関連付けて記憶する。
【００１９】
なお、制御部１３０のＣＰＵによって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いて画像形成装置１０にダウンロードさせても良い。
【００２０】
図５は、印刷ジョブの中に含まれる情報を示す図である。
図５に示すように、印刷ジョブの中には、印刷ジョブを要求したクライアントの情報、印刷パラメータ、原本フラグ及び文書データが含まれる。
図５に示すように、クライアント情報の中には、ホスト名、ユーザ名が含まれる。
図５に示すように、印刷パラメータの中には、記録媒体サイズ、拡大するか縮小するか、１枚の中に複数ページを入れるか否か（Ｎ−ｕｐする／しない）、片面印刷するか両面印刷するか、白黒印刷するかカラー印刷するか、印刷部数などの情報が含まれる。
原本フラグは、原本専用の第１記録媒体Ｐ１への画像形成を要求するものであるか否かを示す情報である。例えば、原本専用の第１記録媒体Ｐ１への画像形成を要求する場合に、原本フラグが含まれる。
【００２１】
以上のように構成された第１の実施形態に係る画像形成システム１は、例えば、文書を送る者（文書送信者）から送られた当該文書を受け取る者（文書受信者）が、端末装置２０を操作して、当該文書を、画像形成装置１０にて印刷するのに利用される。そして、画像形成システム１は、文書の一例としての信書を印刷（プリントアウト）するのに適している。信書とは、特定の受取人に対し、差出人の意思を表示し、又は事実を通知する文書である。信書は、請求書の類、会議召集通知の類、許可書の類、証明書の類、ダイレクトメールであることを例示することができる。請求書の類の中には、納品書、領収書、見積書、願書、申込書、契約書等が含まれる。会議召集通知の中には、結婚式等の招待状、業務報告文書等が含まれる。許可書の類の中には、免許書、認定書、表彰状等が含まれる。証明書の類の中には、印鑑証明書、納税証明書、戸籍謄本の写し、住民票の写し等が含まれる（なお、住民票の原本、戸籍謄本の原本は役所で管理されている物であり、役所から発行される物は住民票の写し、戸籍謄本の写しである）。ダイレクトメールの中には、文書自体に受取人が記載されている文書等が含まれる。
【００２２】
ここで、画像形成装置１０に対して、原本性が重要な文書の印刷が要求される場合、原本印刷専用の記録媒体（本実施形態においては第１記録媒体Ｐ１）に印刷することが必要となる。原本性が重要な文書としては、上述した信書の中でも、例えば住民票の写し、戸籍謄本の写し、有価チケットであることを例示することができる。原本性が重要な文書が例えば有価チケットである場合には、原本性に加え唯一性も必要となる。また、原本性が重要な文書が印刷部数に応じて課金額が異なる住民票の写しや戸籍謄本の写しである場合には、原本性に加えて、当該文書に対して予め許可された部数のみを印刷することが重要となる。同一文書データに関する原本性が重要な文書を、予め許可された部数を超えて複数部数印刷することは許されない。
【００２３】
一方で、ユーザは、原本性が重要な文書の複写物（コピー）が必要である場合、取得した文書を別途複写機にて複写処理する必要がある。
それゆえ、画像形成装置１０は、原本性が重要な文書を印刷する機能を有するとともに、当該文書の複写物（コピー）を作成する機能をも有することが望ましい。ユーザは、原本性が重要な文書とともに当該文書の複写物（コピー）をも取得することができ、別途複写処理する煩わしさを解消することができるからである。
【００２４】
このことに鑑み、第１の実施形態に係る画像形成装置１０においては、印刷ジョブの中に原本フラグが含まれている場合には、文書データの１回目の印刷である場合に限って、当該文書データに対して予め定められた規定部数Ｎｐ以下の分だけ第１媒体供給部１５１から供給される第１記録媒体Ｐ１に対する画像形成を行う。そして、画像形成装置１０は、印刷要求がなされた部数である印刷要求部数Ｎｄが規定部数Ｎｐよりも多い場合には、印刷要求部数Ｎｄから規定部数Ｎｐを減算した超過部数Ｎｓ（＝Ｎｄ−Ｎｐ）を、第２媒体供給部１５２から供給される第２記録媒体Ｐ２に対して画像形成を行う。
【００２５】
他方、画像形成装置１０は、印刷ジョブの中に原本フラグが含まれている場合であっても文書データの２回目以降の印刷要求である場合には、第１媒体供給部１５１から供給される第１記録媒体Ｐ１に画像形成を行わずに、印刷要求部数Ｎｄ全てを第２媒体供給部１５２から供給される第２記録媒体Ｐ２に対して画像形成を行う。
また、画像形成装置１０は、印刷ジョブの中に原本フラグが含まれていない場合には、印刷要求部数Ｎｄ全てを第２媒体供給部１５２から供給される第２記録媒体Ｐ２に対して画像形成を行う。
【００２６】
なお、予め定められた規定部数Ｎｐは、原本性が重要な文書が例えば有価チケットである場合には１であることを例示することができる。規定部数Ｎｐが１である場合、画像形成装置１０は、印刷ジョブの中に原本フラグが含まれている場合であり、かつ文書データの１回目の印刷である場合に限って、第１媒体供給部１５１から１枚の第１記録媒体Ｐ１を供給して画像形成を行う。そして、印刷要求部数Ｎｄが２枚以上である場合には、２枚目以降は、超過部数Ｎｓ（＝Ｎｄ−１）の分、第２媒体供給部１５２から供給した第２記録媒体Ｐ２に画像形成を行う。
【００２７】
なお、規定部数Ｎｐは、画像形成装置１０が予め記憶していることを例示することができる。例えば、画像形成装置１０は、原本性が重要な文書が有価チケットである場合には規定部数Ｎｐは１であることを予めＲＯＭに記憶しておくと良い。そして、画像形成装置１０は、印刷要求された文書データが有価チケットであることを把握した場合には、ＲＯＭから規定部数Ｎｐ＝１を読み込み、上記処理を行うと良い。
【００２８】
また、規定部数Ｎｐは、印刷ジョブの中に含まれていても良い。つまり、印刷ジョブの中に、原本フラグとともに規定部数Ｎｐが含まれていても良い。例えば、端末装置２０を使用するユーザが、印刷要求をする際に規定部数Ｎｐを入力するようにしても良い。あるいは、端末装置２０が、原本性が重要な文書が例えば有価チケットである場合には規定部数Ｎｐは１であることを予めＲＯＭに記憶しておき、印刷要求する文書データが有価チケットであることを把握した場合には、ＲＯＭから規定部数Ｎｐ＝１を読み込み、印刷ジョブの中に含ませると良い。
【００２９】
図６は、画像形成装置１０の制御部１３０が行う画像形成処理を示すフローチャートである。
制御部１３０は、本画像形成処理を、予め設定された一定時間（例えば１ミリ秒）ごとに繰り返し実行する。
制御部１３０は、印刷要求を受信したか否かを判断する（Ｓ６０１）。これは、印刷要求受信部１３１が印刷要求を受信したか否かを判断する処理である。印刷要求受信部１３１が受信した印刷要求は、印刷ジョブ記憶部１３２に記憶される。そして、印刷要求を受信した場合（Ｓ６０１でＹｅｓ）、印刷制御部１３４は、受信した印刷要求に含まれる印刷ジョブを解析し（Ｓ６０２）、受信した印刷ジョブの中に原本フラグが含まれているか否かを判断する（Ｓ６０３）。
【００３０】
原本フラグがある場合（Ｓ６０３でＹｅｓ）、印刷制御部１３４は、印刷履歴を検索する（Ｓ６０４）。印刷履歴は印刷履歴記憶部１３３に記憶されている。印刷制御部１３４は、印刷履歴を検索した結果、今回印刷要求がなされた文書データが１回目の印刷であるか否かを判断する（Ｓ６０５）。１回目の印刷である場合（Ｓ６０５でＹｅｓ）、印刷制御部１３４は、印刷ジョブを記憶し（Ｓ６０６）、印刷要求部数Ｎｄが予め定められた規定部数Ｎｐよりも多いか否かを判断する（Ｓ６０７）。
【００３１】
印刷要求部数Ｎｄが規定部数Ｎｐよりも多い場合（Ｓ６０７でＹｅｓ）、印刷制御部１３４は、第１媒体供給部１５１から規定部数Ｎｐの第１記録媒体Ｐ１を供給させるとともに、画像形成部１２０にて第１記録媒体Ｐ１に文書データの画像を形成させる（Ｓ６０８）。つまり、画像形成装置１０は、第１媒体供給部１５１から供給した規定部数Ｎｐの第１記録媒体Ｐ１に印刷処理を行う。
次いで、印刷制御部１３４は、第２媒体供給部１５２から、印刷要求部数Ｎｄから規定部数Ｎｐを減算した超過部数Ｎｓ（＝Ｎｄ−Ｎｐ）の第２記録媒体Ｐ２を供給させるとともに、画像形成部１２０にて第２記録媒体Ｐ２に文書データの画像を形成させる（Ｓ６０９）。つまり、画像形成装置１０は、第２媒体供給部１５２から供給した超過部数Ｎｓの第２記録媒体Ｐ２に印刷処理を行う。
その後、印刷制御部１３４は、印刷履歴を更新する（Ｓ６１０）。つまり、印刷制御部１３４は、第１媒体供給部１５１から供給された規定部数Ｎｐの第１記録媒体Ｐ１に画像形成するとともに、第２媒体供給部１５２から供給された超過部数Ｎｓの第２記録媒体Ｐ２に画像形成した旨を印刷履歴記憶部１３３に記憶させる。
【００３２】
他方、印刷要求部数Ｎｄが規定部数Ｎｐ以下である場合（Ｓ６０７でＮｏ）、印刷制御部１３４は、第１媒体供給部１５１から印刷要求部数Ｎｄの第１記録媒体Ｐ１を供給させるとともに、画像形成部１２０にて第１記録媒体Ｐ１に画像を形成する（Ｓ６１１）。つまり、画像形成装置１０は、第１媒体供給部１５１から供給した規定部数Ｎｄの第１記録媒体Ｐ１に印刷処理を行う。
その後、画像形成装置１０は、印刷履歴を更新する（Ｓ６１０）。つまり、印刷制御部１３４は、第１媒体供給部１５１から供給された印刷要求部数Ｎｄの第１記録媒体Ｐ１に画像形成した旨を印刷履歴記憶部１３３に記憶させる。
【００３３】
一方、１回目の印刷ではない場合（Ｓ６０５でＮｏ）、印刷制御部１３４は、第２媒体供給部１５２から印刷要求部数Ｎｄの第２記録媒体Ｐ２を供給させるとともに、画像形成部１２０にて第２記録媒体Ｐ２に画像を形成させる（Ｓ６１２）。つまり、画像形成装置１０は、第２媒体供給部１５２から供給した印刷要求部数Ｎｄの第２記録媒体Ｐ２に印刷処理を行う。
その後、印刷制御部１３４は、印刷履歴を更新する（Ｓ６１０）。つまり、印刷制御部１３４は、第２媒体供給部１５２から供給された印刷要求部数Ｎｄの第２記録媒体Ｐ２に画像形成した旨を印刷履歴記憶部１３３に記憶させる。
【００３４】
また、原本フラグがない場合（Ｓ６０３でＮｏ）、印刷制御部１３４は、第２媒体供給部１５２から印刷要求部数Ｎｄの第２記録媒体Ｐ２を供給させるとともに、画像形成部１２０にて第２記録媒体Ｐ２に画像を形成させる（Ｓ６１３）。つまり、画像形成装置１０は、第２媒体供給部１５２から供給した印刷要求部数Ｎｄの第２記録媒体Ｐ２に印刷処理を行う。印刷制御部１３４は、原本フラグがない印刷ジョブに従って印刷処理を行った場合には印刷履歴を更新することなく本画像形成処理を終了する。
なお、制御部１３０は、印刷要求を受信していない場合（Ｓ６０１でＮｏ）、本画像形成処理を終了する。
【００３５】
以上のように構成された画像形成装置１０においては、原本性が要求される文書データについて、規定部数Ｎｐを超える複数部数の印刷要求を受けた場合でも第１媒体供給部１５１から供給した第１記録媒体Ｐ１に印刷処理（原本印刷）を行うことを、規定部数Ｎｐに限るので原本性が失われない。また、再度（２回目以降）の印刷要求を受けた場合でも印刷履歴を基に既に原本印刷が行われていることを把握した場合には、印刷要求部数Ｎｄ全てを、第２媒体供給部１５２から供給した第２記録媒体Ｐ２に印刷処理を行うので原本性が失われない。
【００３６】
また、画像形成装置１０は、１回目の印刷要求の際に規定部数Ｎｐを超える複数部数の印刷要求を受けた場合には、超過部数Ｎｓ（＝Ｎｄ−Ｎｐ）分を第２媒体供給部１５２から供給した第２記録媒体Ｐ２に印刷処理を行う。これにより、１つの印刷要求で、ユーザに、規定部数Ｎｐの原本性が重要な文書に加えて、超過部数Ｎｓ分の当該文書の複写物（コピー）を提供することが可能となる。
【００３７】
また、第１の実施形態に係る画像形成システム１においては、規定部数Ｎｐを任意に設定可能である。ゆえに、画像形成システム１を使用する者は、原本性が重要な文書に応じて規定部数Ｎｐを設定することが可能である。例えば、原本性が重要な文書が有価チケットである場合にはＮｐ＝１と設定することで、唯一無二の有価チケットの印刷が確保される。また、原本性が重要な文書が戸籍謄本の写しや住民票の写しである場合には、請求した者から支払われた料金に応じた部数に設定することで、徴収漏れが抑制される。
【００３８】
なお、上述した第１の実施形態に係る画像形成システム１の画像形成装置１０においては、再度（２回目以降）の印刷要求を受けた場合に印刷履歴を基に既に原本印刷が行われていることを把握した場合には、印刷要求部数Ｎｄ全てを、第２媒体供給部１５２から供給した第２記録媒体Ｐ２に印刷処理を行う（Ｓ６１２）が、特にかかる態様に限定されない。画像形成装置１０は、再度（２回目以降）の印刷要求を受けた場合であっても、これまでに第１媒体供給部１５１から供給した第１記録媒体Ｐ１に印刷処理を行った累積部数が規定部数Ｎｐを超えていない場合には、以下のようにしても良い。すなわち、画像形成装置１０は、複数部数の印刷指示を受けた場合に、今回の印刷処理において、累積部数が規定部数Ｎｐに達するまでは第１媒体供給部１５１から供給した第１記録媒体Ｐ１に印刷処理を行い、累積部数が規定部数Ｎｐに達した以降の部数については第２媒体供給部１５２から供給した第２記録媒体Ｐ２に印刷処理を行っても良い。
【００３９】
［第２の実施形態］
図７は、本発明の第２の実施形態に係る画像形成システム２の概略構成を例示した図である。
第２の実施形態に係る画像形成システム２は、文書の複写機能、読み取った文書の画像データを生成する機能、画像データが示す画像を用紙等の記録媒体に形成する機能を有する、第１画像形成装置４０及び第２画像形成装置５０を備えている。
また、画像形成システム２は、ユーザが入力した情報を受け付けたりユーザに対して情報を出力したりする上述した端末装置２０を備えている。
第１画像形成装置４０、第２画像形成装置５０及び端末装置２０は装置間を通信可能に接続する通信回線３０に接続されており、通信回線３０を介して互いに通信を行うことが可能となっている。
【００４０】
第２の実施形態に係る画像形成システム２は、第１記録媒体Ｐ１に対して文書データの画像を形成する第１画像形成装置４０と、第２記録媒体Ｐ２に対して文書データの画像を形成する第２画像形成装置５０と、を備え、予め定められた条件を満たす場合の一例としての、文書データの画像を形成する要求（印刷要求）の印刷ジョブの中に原本フラグが含まれている場合には、当該文書データの画像を形成する複数部数のうち予め設定された部数（規定部数Ｎｐ）に達するまでは第１画像形成装置４０にて画像を形成し、以降の部数については第２画像形成装置５０にて画像を形成する。
【００４１】
第２の実施形態に係る第１画像形成装置４０及び第２画像形成装置５０は、第１の実施形態に係る画像形成装置１０と同様に、画像読取部１１０と、画像形成部１２０と、制御部１３０と、ユーザインタフェース（ＵＩ）１４０と、排出部１６０とを備えている。
そして、第２の実施形態に係る第１画像形成装置４０は、上述した原本専用の第１記録媒体Ｐ１を収容するとともに画像形成部１２０に対して第１記録媒体Ｐ１を供給する第１媒体供給部（不図示）を有している。他方、第２の実施形態に係る第２画像形成装置５０は、上述した複写（コピー）用の第２記録媒体Ｐ２を収容するとともに画像形成部１２０に対して第２記録媒体Ｐ２を供給する第２媒体供給部（不図示）を有している。
第１画像形成装置４０の制御部１３０の印刷履歴記憶部１３３は、文書ＩＤと、原本対象データか否かのフラグと、既に原本印刷済みか否かの情報及び原本印刷済である場合には原本印刷した累積部数の情報とを関連付けて記憶する。
なお、第１画像形成装置４０の媒体収容部は施錠されており、権限のない者は開閉不可であると良い。
【００４２】
第２の実施形態に係る画像形成システム２においては、端末装置２０を介して、文書受信者から規定部数Ｎｐを超える原本性が重要な文書の印刷要求がなされた場合には、文書データの１回目の印刷である場合に限って規定部数Ｎｐ以下の分だけ第１画像形成装置４０にて画像形成を行う。そして、超過部数Ｎｓを、第２画像形成装置５０にて画像形成を行う。
【００４３】
図８は、第２の実施形態に係る画像形成システム２における動作例を示したシーケンス図である。図８に示した動作例は、第１画像形成装置４０が印刷要求を受け付ける旨を端末装置２０に送信する場合の動作例を示している。
端末装置２０が、ユーザから、規定部数Ｎｐを超える原本性が重要な文書の印刷指示を受けた場合（Ｓ８０１）、端末装置２０は、第１画像形成装置４０に対して規定部数Ｎｐの印刷要求を送信する（Ｓ８０２）。すると、第１画像形成装置４０では、印刷要求受信部１３１が印刷要求を受信し（Ｓ８０３）、印刷制御部１３４が、印刷ジョブを印刷ジョブ記憶部１３２に記憶し（Ｓ８０４）、印刷要求があった文書データについての印刷履歴が印刷履歴記憶部１３３に記憶されているか否かを検索する（Ｓ８０５）。そして、第１画像形成装置４０は、受付結果を端末装置２０に送信する（Ｓ８０６）。つまり、第１画像形成装置４０の印刷制御部１３４は、印刷要求があった文書データについての印刷履歴がない場合には今回の印刷要求を受け付ける旨を送信する。他方、第１画像形成装置４０の印刷制御部１３４は、印刷要求があった文書データについての印刷履歴がある場合には今回の印刷要求を受け付けず（拒否し）、エラーを送信する。そして、第１画像形成装置４０では、印刷要求を受け付ける旨を送信した後、印刷ジョブを実行する（Ｓ８０７）。つまり、第１画像形成装置４０は、第１媒体供給部から供給された規定部数Ｎｐの第１記録媒体Ｐ１に文書データの画像を形成する。
【００４４】
端末装置２０では、第１画像形成装置４０から受付結果を受信する（Ｓ８０８）。本動作例では、端末装置２０は、印刷要求を受け付ける旨を第１画像形成装置４０から印刷要求を受け付ける旨を受信したので、第２画像形成装置５０に対して超過部数Ｎｓの印刷要求を送信する（Ｓ８０９）。すると、第２画像形成装置５０では、印刷要求受信部１３１が印刷要求を受信し（Ｓ８１０）、印刷制御部１３４が、印刷ジョブを印刷ジョブ記憶部１３２に記憶し（Ｓ８１１）、印刷ジョブを実行する（Ｓ８１２）。つまり、第２画像形成装置５０は、第２媒体供給部から供給された超過部数Ｎｓの第２記録媒体Ｐ２に文書データの画像を形成する。
【００４５】
なお、図８には示していないが、Ｓ８０６の処理として第１画像形成装置４０が端末装置２０にエラーを送信した場合には、端末装置２０は、第２画像形成装置５０に対して印刷要求部数Ｎｄの印刷要求を送信する。すると、第２画像形成装置５０は、第２媒体供給部から供給された印刷要求部数Ｎｄの第２記録媒体Ｐ２に文書データの画像を形成する。第１画像形成装置４０は、印刷ジョブを実行しない。
【００４６】
図９は、端末装置２０が行う印刷要求処理を示すフローチャートである。
端末装置２０は、本印刷要求処理を、予め設定された一定時間（例えば１ミリ秒）ごとに繰り返し実行する。
端末装置２０は、印刷指示を受けたか否かを判断する（Ｓ９０１）。そして、印刷指示を受けた場合（Ｓ９０１でＹｅｓ）、原本の印刷であるか否かを判断する（Ｓ９０２）。原本の印刷である場合（Ｓ９０２でＹｅｓ）、印刷要求部数Ｎｄが規定部数Ｎｐよりも多いか否かを判断する（Ｓ９０３）。
【００４７】
印刷要求部数Ｎｄが規定部数Ｎｐよりも多い場合（Ｓ９０３でＹｅｓ）、端末装置２０は、第１画像形成装置４０に対して規定部数Ｎｐの印刷要求を行う（Ｓ９０４）。その後、第１画像形成装置４０から印刷要求を受け付ける旨を受信したか否か、言い換えれば第１画像形成装置４０の受付が成功したか否かを判断する（Ｓ９０５）。そして、印刷要求を受け付ける旨を受信した場合、言い換えれば第１画像形成装置４０の受付が成功した場合（Ｓ９０５でＹｅｓ）、端末装置２０は、第２画像形成装置５０に対して超過部数Ｎｓの印刷要求を行う（Ｓ９０６）。他方、第１画像形成装置４０からエラーを受信した場合、言い換えれば第１画像形成装置４０の受付が成功しなかった場合（Ｓ９０５でＮｏ）、端末装置２０は、第２画像形成装置５０に対して印刷要求部数Ｎｄの印刷要求を行い（Ｓ９０７）、本印刷要求処理を終了する。
【００４８】
一方、印刷要求部数Ｎｄが規定部数Ｎｐ以下である場合（Ｓ９０３でＮｏ）、端末装置２０は、第１画像形成装置４０に対して印刷要求部数Ｎｄの印刷要求を行う（Ｓ９０８）。その後、第１画像形成装置４０から印刷要求を受け付ける旨を受信したか否か、言い換えれば第１画像形成装置４０の受付が成功したか否かを判断する（Ｓ９０９）。そして、印刷要求を受け付ける旨を受信した場合、言い換えれば第１画像形成装置４０の受付が成功した場合（Ｓ９０９でＹｅｓ）、端末装置２０は、本印刷要求処理を終了する。他方、第１画像形成装置４０からエラーを受信した場合、言い換えれば第１画像形成装置４０の受付が成功しなかった場合（Ｓ９０９でＮｏ）、端末装置２０は、第２画像形成装置５０に対して印刷要求部数Ｎｄの印刷要求を行い（Ｓ９０７）、本印刷要求処理を終了する。
【００４９】
原本の印刷ではない場合（Ｓ９０２でＮｏ）、端末装置２０は、第２画像形成装置５０に対して印刷要求部数Ｎｄの印刷要求を行い（Ｓ９０７）、本印刷要求処理を終了する。
印刷指示を受けていない場合（Ｓ９０１でＮｏ）、端末装置２０は、本印刷要求処理を終了する。
【００５０】
以上のように構成された第２の実施形態に係る画像形成システム２においては、端末装置２０が、原本性が要求される文書データについて規定部数Ｎｐを超える複数部数の印刷要求を受けた場合でも、第１画像形成装置４０にて印刷処理（原本印刷）を行うことを、規定部数Ｎｐに限るので原本性が失われない。また、規定部数Ｎｐを超える超過部数Ｎｓ分を、第２画像形成装置５０にて印刷処理を行う。これにより、１つの印刷指示で、ユーザに、規定部数Ｎｐの原本に加えて、超過部数Ｎｓ分の複写物（コピー）を提供することが可能となる。
【００５１】
なお、第２の実施形態に係る画像形成システム２の端末装置２０が第１画像形成装置４０又は第２画像形成装置５０に対して送信する印刷要求の中の印刷ジョブには、図５に示した印刷ジョブとは異なり、原本フラグはなくても良い。端末装置２０が原本の印刷指示であるか否かを判断し（Ｓ９０２）、その結果に応じて、第１画像形成装置４０又は第２画像形成装置５０に印刷要求を送信するからである。
【００５２】
なお、上述した第２の実施形態に係る画像形成システム２においては、第１画像形成装置４０が、印刷要求があった文書データについての印刷履歴を検索し、印刷履歴の有無に応じて原本印刷を受け付けるか否かを判別しているが、特にかかる態様に限定されない。端末装置２０が印刷履歴記憶部を備え、印刷指示があった文書データについての印刷履歴を印刷要求送信前に把握しても良い。そして、例えば、端末装置２０は、規定部数Ｎｐを超える枚数の印刷指示があった場合、印刷指示があった文書データについて未だ印刷していないと判断した場合には、第１画像形成装置４０に対して規定部数Ｎｐの印刷要求を送信するとともに、第２画像形成装置５０に対して超過部数Ｎｓの印刷要求を送信すると良い。また、端末装置２０は、印刷指示があった文書データについて印刷済みであると判断した場合には、第２画像形成装置５０に対して印刷要求部数Ｎｄの印刷要求を送信すると良い。
【００５３】
なお、上述した第２の実施形態に係る画像形成システム２において、文書データの１回目の印刷である場合に限って第１画像形成装置４０にて印刷処理（画像形成）を行うが、特にかかる態様に限定されない。再度（２回目以降）の印刷要求を受けた場合であっても、これまでに第１画像形成装置４０にて印刷処理を行った累積部数が規定部数Ｎｐを超えていない場合には、以下のようにしても良い。すなわち、画像形成システム２は、複数部数の印刷指示を受けた場合に、今回の印刷処理において、累積部数が規定部数Ｎｐに達するまでは第１画像形成装置４０にて印刷処理を行い、累積部数が規定部数Ｎｐに達した以降の部数については第２画像形成装置５０にて印刷処理を行っても良い。
【００５４】
［第３の実施形態］
図１０は、本発明の第３の実施形態に係る画像形成システム３の概略構成を例示した図である。
第３の実施形態に係る画像形成システム３は、第２の実施形態に係る画像形成システム２の構成に対して、管理装置６０を有している点が異なる。
端末装置２０、第１画像形成装置４０、第２画像形成装置５０及び管理装置６０は通信回線３０に接続されており、通信回線３０を介して互いに通信を行うことが可能となっている。
【００５５】
管理装置６０のハードウェア構成は、図２に示した第１の実施形態に係る端末装置２０のハードウェア構成と同じであることを例示することができる。
図１１は、管理装置６０の機能構成を示すブロック図である。
管理装置６０は、端末装置２０から印刷ジョブを含む印刷要求を受信する印刷要求受信部６０１と、印刷ジョブを記憶する印刷ジョブ記憶部６０２と、印刷履歴を記憶する印刷履歴記憶部６０３と、第１画像形成装置４０、第２画像形成装置５０に対して印刷要求を送信する等して印刷を制御する印刷制御部６０４とを備えている。
印刷履歴記憶部６０３は、文書ＩＤと、原本対象データか否かのフラグと、既に原本印刷済みか否かの情報及び原本印刷済である場合には原本印刷した累積部数の情報とを関連付けて記憶する。印刷履歴記憶部６０３は、ＨＤＤにて実現されることを例示することができる。
【００５６】
第３の実施形態に係る画像形成システム３においては、端末装置２０を介して、規定部数Ｎｐを超える原本性が重要な文書の印刷指示がなされた場合には、端末装置２０が管理装置６０に対して印刷要求を行う。そして、管理装置６０が、印刷要求があった文書データについての印刷履歴を検索し、印刷履歴の有無に応じて、第１画像形成装置４０、第２画像形成装置５０に印刷要求を行う。つまり、管理装置６０は、印刷履歴記憶部６０３に、印刷要求があった文書データが既に原本印刷済みであると記憶されているか否かを判別するとともに、判別結果に応じて第１画像形成装置４０、第２画像形成装置５０に印刷要求を行う。管理装置６０は、文書データの印刷を要求する要求装置の一例として機能する。
【００５７】
図１２は、第３の実施形態に係る画像形成システム３における動作例を示したシーケンス図である。図１２に示した動作例は、印刷要求部数Ｎｄが規定部数Ｎｐよりも多く、未だ原本印刷済みではない場合の動作例である。
端末装置２０が、ユーザから、印刷要求部数Ｎｄの原本性が重要な文書の印刷指示を受けた場合（Ｓ１２０１）、端末装置２０は、管理装置６０に対して印刷要求部数Ｎｄの印刷要求を送信する（Ｓ１２０２）。すると、管理装置６０では、印刷要求を受信し（Ｓ１２０３）、印刷履歴を検索する（Ｓ１２０４）。そして、本動作例においては、印刷要求があった文書データについての印刷履歴がないので、第１画像形成装置４０に対して規定部数Ｎｐの印刷要求を送信する（Ｓ１２０５）とともに、第２画像形成装置５０に対して超過部数Ｎｓの印刷要求を送信する（Ｓ１２０６）。
【００５８】
第１画像形成装置４０では、印刷要求受信部１３１が印刷要求を受信し（Ｓ１２０７）、印刷制御部１３４が、印刷ジョブを印刷ジョブ記憶部１３２に記憶し（Ｓ１２０８）、印刷ジョブを実行する（Ｓ１２０９）。そして、印刷が完了した場合には、管理装置６０に印刷完了通知を送信する（Ｓ１２１０）。すると、管理装置６０では、印刷履歴を更新する（Ｓ１２１１）。
【００５９】
第２画像形成装置５０では、印刷要求受信部１３１が印刷要求を受信し（Ｓ１２１２）、印刷制御部１３４が、印刷ジョブを印刷ジョブ記憶部１３２に記憶し（Ｓ１２１３）、印刷ジョブを実行する（Ｓ１２１４）。そして、印刷が完了した場合には、管理装置６０に印刷完了通知を送信する（Ｓ１２１５）。すると、管理装置６０では、印刷履歴を更新する（Ｓ１２１６）。
【００６０】
図１３は、管理装置６０が行う画像形成処理を示すフローチャートである。
管理装置６０は、本印刷要求処理を、予め設定された一定時間（例えば１ミリ秒）ごとに繰り返し実行する。
管理装置６０は、端末装置２０から印刷要求を受信したか否かを判断する（Ｓ１３０１）。これは、印刷要求受信部６０１が印刷要求を受信したか否かを判断する処理である。印刷要求受信部６０１が受信した印刷要求は、印刷ジョブ記憶部６０２に記憶される。そして、印刷要求を受信した場合（Ｓ１３０１でＹｅｓ）、印刷制御部６０４は、受信した印刷要求に含まれる印刷ジョブを解析し（Ｓ１３０２）、受信した印刷ジョブの中に原本フラグが含まれているか否かを判断する（Ｓ１３０３）。
【００６１】
原本フラグがある場合（Ｓ１３０３でＹｅｓ）、管理装置６０は、印刷履歴を検索する（Ｓ１３０４）。印刷履歴は印刷履歴記憶部６０３に記憶されている。印刷制御部６０４は、印刷履歴を検索した結果、今回印刷要求がなされた文書データが１回目の印刷であるか否かを判断する（Ｓ１３０５）。１回目の印刷である場合（Ｓ１３０５でＹｅｓ）、印刷制御部６０４は、印刷ジョブを記憶し（Ｓ１３０６）、印刷要求部数Ｎｄが予め定められた規定部数Ｎｐよりも多いか否かを判断する（Ｓ１３０７）。
【００６２】
印刷要求部数Ｎｄが規定部数Ｎｐよりも多い場合（Ｓ１３０７でＹｅｓ）、印刷制御部６０４は、第１画像形成装置４０に対して規定部数Ｎｐの印刷要求を行い（Ｓ１３０８）、第２画像形成装置５０に対して超過部数Ｎｓの印刷要求を行う（Ｓ１３０９）。その後、印刷制御部６０４は、印刷履歴を更新する（Ｓ１３１０）。つまり、印刷制御部６０４は、第１画像形成装置４０にて規定部数Ｎｐの第１記録媒体Ｐ１に画像形成するとともに、第２画像形成装置５０にて超過部数Ｎｓの第２記録媒体Ｐ２に画像形成した旨を印刷履歴記憶部６０３に記憶させる。
【００６３】
他方、印刷要求部数Ｎｄが規定部数Ｎｐ以下である場合（Ｓ１３０７でＮｏ）、印刷制御部６０４は、第１画像形成装置４０に対して印刷要求部数Ｎｄの印刷要求を行う（Ｓ１３１１）。その後、印刷制御部６０４は、印刷履歴を更新する（Ｓ１３１０）。つまり、印刷制御部６０４は、第１画像形成装置４０にて印刷要求部数Ｎｄの第１記録媒体Ｐ１に画像形成した旨を印刷履歴記憶部６０３に記憶させる。
【００６４】
一方、１回目の印刷ではない場合（Ｓ１３０５でＮｏ）、印刷制御部６０４は、第２画像形成装置５０に対して印刷要求部数Ｎｄの印刷要求を行う（Ｓ１３１２）。その後、印刷制御部６０４は、印刷履歴を更新する（Ｓ１３１０）。つまり、印刷制御部６０４は、第２画像形成装置５０にて印刷要求部数Ｎｄの第２記録媒体Ｐ２に画像形成した旨を印刷履歴記憶部６０３に記憶させる。
【００６５】
また、原本フラグがない場合（Ｓ１３０３でＮｏ）、印刷制御部６０４は、第２画像形成装置５０に対して印刷要求部数Ｎｄの印刷要求を行う（Ｓ１３１３）。
なお、管理装置６０は、印刷要求を受信していない場合（Ｓ１３０１でＮｏ）、本印刷要求処理を終了する。
【００６６】
以上のように構成された第３の実施形態に係る画像形成システム３においては、管理装置６０が、原本性が要求される文書データについて規定部数Ｎｐを超える複数部数の印刷要求を受けた場合でも、第１画像形成装置４０にて印刷処理（原本印刷）を行うことを、規定部数Ｎｐに限るので原本性が失われない。また、規定部数Ｎｐを超える超過部数Ｎｓ分を、第２画像形成装置５０にて印刷処理を行う。これにより、１つの印刷指示で、ユーザに、規定部数Ｎｐの原本に加えて、超過部数Ｎｓ分の複写物（コピー）を提供することが可能となる。
【００６７】
なお、上述した第３の実施形態に係る画像形成システム３においては、再度（２回目以降）の印刷要求を受けた場合に印刷履歴を基に既に原本印刷が行われていることを把握した場合には、印刷要求部数Ｎｄ全てを、第２画像形成装置５０にて印刷処理を行う（Ｓ１３１２）が、特にかかる態様に限定されない。再度（２回目以降）の印刷要求を受けた場合であっても、これまでに第１画像形成装置４０にて印刷処理を行った累積部数が規定部数Ｎｐを超えていない場合には、以下のようにしても良い。すなわち、画像形成システム３は、複数部数の印刷指示を受けた場合に、今回の印刷処理において、累積部数が規定部数Ｎｐに達するまでは第１画像形成装置４０にて印刷処理を行い、累積部数が規定部数Ｎｐに達した以降の部数については第２画像形成装置５０にて印刷処理を行っても良い。
【００６８】
［第４の実施形態］
図１４は、本発明の第４の実施形態に係る画像形成システム４の概略構成を例示した図である。
第４の実施形態に係る画像形成システム４は、送信装置７０と、記憶装置８０と、指示装置９０と、上述した第１の実施形態に係る画像形成装置１０とを備えている。
送信装置７０、記憶装置８０、指示装置９０及び画像形成装置１０は通信回線３０に接続されており、通信回線３０を介して互いに通信を行うことが可能となっている。
【００６９】
送信装置７０、記憶装置８０及び指示装置９０のハードウェア構成は、図２に示した第１の実施形態に係る端末装置２０のハードウェア構成と同じであることを例示することができる。
記憶装置８０は、文書ＩＤと、原本対象データか否かのフラグと、既に原本印刷済みか否かの情報及び原本印刷済である場合には原本印刷した累積部数の情報とを関連付けて記憶する印刷履歴記憶部を有する。
【００７０】
第４の実施形態に係る画像形成システム４においては、文書を送る者（文書送信者）が、送信装置７０を介して、当該文書の配送を記憶装置８０に要求する。当該文書を受け取る者（文書受信者）は、指示装置９０を介して、当該文書の印刷を記憶装置８０に要求する。記憶装置８０は、当該文書が原本性が重要な文書であり規定部数Ｎｐを超える印刷指示がなされた場合には、印刷要求があった文書データについての印刷履歴を検索し、印刷履歴の有無に応じて、画像形成装置１０に印刷要求を行う。つまり、記憶装置８０は、印刷履歴記憶部８０１に、印刷要求があった文書データが既に原本印刷済みであると記憶されているか否かを判別するとともに、画像形成装置１０に対して判別結果に応じた印刷要求を行う。
なお、文書受信者は、文書送信者から、例えばＥ−ＭＡＩＬにて、記憶装置８０に対して文書の印刷を要求すべき旨の連絡を受けることを例示することができる。
【００７１】
図１５は、第４の実施形態に係る画像形成システム４における動作例を示したシーケンス図である。図１５に示した動作例は、印刷要求部数Ｎｄが規定部数Ｎｐよりも多く、未だ原本印刷済みではない場合の動作例である。
【００７２】
図１５（ａ）に示すように、送信装置７０は、文書送信者から送信指示を受けて、記憶装置８０に対して当該文書の配送を要求する（Ｓ１５０１）。記憶装置８０では、配送要求を受信し（Ｓ１５０２）、当該文書の文書データを記憶する（Ｓ１５０２）。
【００７３】
図１５（ｂ）に示すように、指示装置９０は、文書受信者から規定部数Ｎｐを超える印刷要求部数Ｎｄの印刷指示を受けた場合（Ｓ１５１１）、記憶装置８０に対して印刷要求部数Ｎｄの印刷要求を送信する（Ｓ１５１２）。すると、記憶装置８０では、印刷要求を受信し（Ｓ１５１３）、印刷履歴を検索する（Ｓ１５１４）。そして、この動作例では、印刷要求があった文書データについての印刷履歴がないので、画像形成装置１０に対して印刷要求部数Ｎｄの印刷要求を送信する（Ｓ１５１５）。
【００７４】
すると、画像形成装置１０では、印刷要求受信部１３１が印刷要求を受信し（Ｓ１５１６）、印刷制御部１３４が、印刷ジョブを印刷ジョブ記憶部１３２に記憶する（Ｓ１５１７）。次いで、画像形成装置１０では、印刷制御部１３４は、第１媒体供給部１５１から規定部数Ｎｐの第１記録媒体Ｐ１を供給させるとともに、画像形成部１２０にて第１記録媒体Ｐ１に文書データの画像を形成させる（Ｓ１５１８）。つまり、画像形成装置１０は、第１媒体供給部１５１から供給した規定部数Ｎｐの第１記録媒体Ｐ１に印刷処理を行う。また、印刷制御部１３４は、第２媒体供給部１５２から超過部数Ｎｓの第２記録媒体Ｐ２を供給させるとともに、画像形成部１２０にて第２記録媒体Ｐ２に文書データの画像を形成させる（Ｓ１５１９）。つまり、画像形成装置１０は、第２媒体供給部１５２から供給した超過部数Ｎｓの第２記録媒体Ｐ２に印刷処理を行う。その後、画像形成装置１０は、記憶装置８０に印刷完了通知を送信する（Ｓ１５２０）。
【００７５】
記憶装置８０では、印刷完了通知を受信し（Ｓ１５２１）、印刷履歴を更新する（Ｓ１５２２）。つまり、記憶装置８０は、第１媒体供給部１５１から供給された規定部数Ｎｐの第１記録媒体Ｐ１に画像形成するとともに、第２媒体供給部１５２から供給された第２記録媒体Ｐ２に画像形成した旨を記憶する。
【００７６】
また、図示はしないが、図１５に示したシーケンス図のＳ１５１４の処理において、印刷要求があった文書データについての印刷履歴の検索の結果、既に原本印刷済みであった場合には、記憶装置８０は、画像形成装置１０に、第２記録媒体Ｐ２への画像形成を印刷要求部数Ｎｄ全てに対して行う旨の印刷要求を送信しても良い。また、記憶装置８０は、既に原本印刷済みであった場合であっても、これまでに第１記録媒体Ｐ１に印刷処理を行った累積部数が規定部数Ｎｐを超えていない場合には、累積部数が規定部数Ｎｐに達するまでは第１記録媒体Ｐ１に印刷処理を行い、累積部数が規定部数Ｎｐに達した以降の部数については第２記録媒体Ｐ２に印刷処理を行う旨の印刷要求を送信しても良い。
【００７７】
以上のように構成された第４の実施形態に係る画像形成システム４においては、記憶装置８０が、原本性が要求される文書データについて規定部数Ｎｐを超える複数部数の印刷要求を受けた場合でも、画像形成装置１０にて第１媒体供給部１５１から供給した第１記録媒体Ｐ１に対して印刷処理（原本印刷）を行うことを、規定部数Ｎｐに限るので原本性が失われない。また、記憶装置８０は、規定部数Ｎｐを超える超過部数Ｎｓ分を、第２媒体供給部１５２から供給した第２記録媒体Ｐ２に印刷処理を行わせる。これにより、１つの印刷要求で、ユーザに、規定部数Ｎｐの原本に加えて、超過部数Ｎｓ分の複写物（コピー）を提供することが可能となる。
【００７８】
なお、記憶装置８０は、画像形成装置１０内に含まれていても良いし、指示装置９０内に含まれていても良いし、それらとは別個の装置（例えばサーバ装置）であっても良い。
【００７９】
［第５の実施形態］
図１６は、本発明の第５の実施形態に係る画像形成システム５の概略構成を例示した図である。
第５の実施形態に係る画像形成システム５は、上述した第４の実施形態に係る画像形成システム４の、送信装置７０、記憶装置８０及び指示装置９０と、上述した第２の実施形態に係る第１画像形成装置４０及び第２画像形成装置５０とを備えている。
送信装置７０、記憶装置８０、指示装置９０、第１画像形成装置４０及び第２画像形成装置５０は通信回線３０に接続されており、通信回線３０を介して互いに通信を行うことが可能となっている。
以下、第４の実施形態に係る画像形成システム４と異なる点について説明する。
【００８０】
図１７は、第５の実施形態に係る画像形成システム５における動作例を示したシーケンス図である。図１７に示した動作例は、印刷要求部数Ｎｄが規定部数Ｎｐよりも多く、未だ原本印刷済みではない場合の動作例である。
【００８１】
図１７に示すように、指示装置９０は、文書受信者から規定部数Ｎｐを超える印刷要求部数Ｎｄの印刷指示を受けた場合（Ｓ１７１１）、記憶装置８０に対して印刷要求部数Ｎｄの印刷要求を送信する（Ｓ１７１２）。すると、記憶装置８０では、印刷要求を受信し（Ｓ１７１３）、印刷履歴を検索する（Ｓ１７１４）。そして、この動作例では、印刷要求があった文書データについての印刷履歴がないので、第１画像形成装置４０に対して規定部数Ｎｐの印刷要求を送信する（Ｓ１７１５）とともに、第２画像形成装置５０に対して超過部数Ｎｓの印刷要求を送信する（Ｓ１７１６）。
【００８２】
第１画像形成装置４０では、印刷要求受信部１３１が印刷要求を受信し（Ｓ１７１７）、印刷制御部１３４が、印刷ジョブを印刷ジョブ記憶部１３２に記憶し（Ｓ１７１８）、印刷ジョブを実行する（Ｓ１７１９）。そして、印刷が完了した場合には、記憶装置８０に印刷完了通知を送信する（Ｓ１７２０）。すると、記憶装置８０では、印刷履歴を更新する（Ｓ１７２１）。
【００８３】
第２画像形成装置５０では、印刷要求受信部１３１が印刷要求を受信し（Ｓ１７２２）、印刷制御部１３４が、印刷ジョブを印刷ジョブ記憶部１３２に記憶し（Ｓ１７２３）、印刷ジョブを実行する（Ｓ１７２４）。そして、印刷が完了した場合には、記憶装置８０に印刷完了通知を送信する（Ｓ１７２５）。すると、記憶装置８０では、印刷履歴を更新する（Ｓ１７２６）。
【００８４】
また、図示はしないが、図１７に示したシーケンス図のＳ１７１４の処理において、印刷要求があった文書データについての印刷履歴の検索の結果、既に原本印刷済みであった場合には、記憶装置８０は、第２画像形成装置５０に対して、印刷要求部数Ｎｄ全ての印刷要求を送信すると良い。また、記憶装置８０は、既に原本印刷済みであった場合であっても、これまでに第１画像形成装置４０にて印刷処理を行った累積部数が規定部数Ｎｐを超えていない場合には、累積部数が規定部数Ｎｐに達するまでは第１画像形成装置４０にて印刷処理を行い、累積部数が規定部数Ｎｐに達した以降の部数については第２画像形成装置５０にて印刷処理を行う旨の印刷要求を送信しても良い。
【００８５】
以上のように構成された第５の実施形態に係る画像形成システム５においては、記憶装置８０が、原本性が要求される文書データについて規定部数Ｎｐを超える複数部数の印刷要求を受けた場合でも、第１画像形成装置４０にて印刷処理（原本印刷）を行うことを、規定部数Ｎｐに限るので原本性が失われない。また、記憶装置８０は、規定部数Ｎｐを超える超過部数Ｎｓ分を、第２画像形成装置５０にて印刷処理を行う。これにより、１つの印刷指示で、ユーザに、規定部数Ｎｐの原本に加えて、超過部数Ｎｓ分の複写物（コピー）を提供することが可能となる。
【００８６】
なお、記憶装置８０は、第１画像形成装置４０内に含まれていても良いし、指示装置９０内に含まれていても良いし、それらとは別個の装置（例えばサーバ装置）であっても良い。
【００８７】
［第６の実施形態］
図１８は、本発明の第６の実施形態に係る画像形成システム６の概略構成を例示した図である。
第６の実施形態に係る画像形成システム６は、上述した第４の実施形態に係る画像形成システム４の、送信装置７０、記憶装置８０及び指示装置９０と、上述した第３の実施形態に係る管理装置６０と、上述した第２の実施形態に係る第１画像形成装置４０及び第２画像形成装置５０とを備えている。
送信装置７０、記憶装置８０、指示装置９０、管理装置６０、第１画像形成装置４０及び第２画像形成装置５０は通信回線３０に接続されており、通信回線３０を介して互いに通信を行うことが可能となっている。
以下、第５の実施形態に係る画像形成システム５と異なる点について説明する。
【００８８】
図１９は、第６の実施形態に係る画像形成システム６における動作例を示したシーケンス図である。図１９に示した動作例は、印刷要求部数Ｎｄが規定部数Ｎｐよりも多く、未だ原本印刷済みではない場合の動作例である。
【００８９】
図１９に示すように、指示装置９０は、文書受信者から規定部数Ｎｐを超える印刷要求部数Ｎｄの印刷指示を受けた場合（Ｓ１９１１）、記憶装置８０に対して印刷要求部数Ｎｄの印刷要求を送信する（Ｓ１９１２）。すると、記憶装置８０では、印刷要求を受信し（Ｓ１９１３）、印刷履歴を検索する（Ｓ１９１４）。そして、この動作例では、印刷要求があった文書データについての印刷履歴がないので、管理装置６０に対して印刷要求部数Ｎｄの印刷要求を送信する（Ｓ１９１５）。すると、管理装置６０では、印刷要求を受信し（Ｓ１９１６）、第１画像形成装置４０に対して規定部数Ｎｐの印刷要求を送信する（Ｓ１９１７）とともに、第２画像形成装置５０に対して超過部数Ｎｓの印刷要求を送信する（Ｓ１９１８）。
【００９０】
第１画像形成装置４０では、印刷要求受信部１３１が印刷要求を受信し（Ｓ１９１９）、印刷制御部１３４が、印刷ジョブを印刷ジョブ記憶部１３２に記憶し（Ｓ１９２０）、印刷ジョブを実行する（Ｓ１９２１）。そして、印刷が完了した場合には、管理装置６０に印刷完了通知を送信する（Ｓ１９２２）。
【００９１】
第２画像形成装置５０では、印刷要求受信部１３１が印刷要求を受信し（Ｓ１９２３）、印刷制御部１３４が、印刷ジョブを印刷ジョブ記憶部１３２に記憶し（Ｓ１９２４）、印刷ジョブを実行する（Ｓ１９２５）。そして、印刷が完了した場合には、管理装置６０に印刷完了通知を送信する（Ｓ１９２６）。
【００９２】
管理装置６０は、第１画像形成装置４０及び第２画像形成装置５０から印刷完了通知を受信し（Ｓ１９２７）、記憶装置８０に対して印刷完了通知を送信する（Ｓ１９２８）。すると、記憶装置８０では、印刷履歴を更新する（Ｓ１９２９）。
【００９３】
また、図示はしないが、図１９に示したシーケンス図のＳ１９１４の処理において、印刷要求があった文書データについての印刷履歴の検索の結果、既に原本印刷済みであった場合には、記憶装置８０は、第２画像形成装置５０に対して、印刷要求部数Ｎｄ全ての印刷要求を送信すると良い。また、記憶装置８０は、既に原本印刷済みであった場合であっても、これまでに第１画像形成装置４０にて印刷処理を行った累積部数が規定部数Ｎｐを超えていない場合には、累積部数が規定部数Ｎｐに達するまでは第１画像形成装置４０にて印刷処理を行い、累積部数が規定部数Ｎｐに達した以降の部数については第２画像形成装置５０にて印刷処理を行う旨の印刷要求を送信しても良い。
【００９４】
以上のように構成された第６の実施形態に係る画像形成システム６においては、管理装置６０が、原本性が要求される文書データについて規定部数Ｎｐを超える複数部数の印刷要求を受けた場合でも、第１画像形成装置４０にて印刷処理（原本印刷）を行うことを、規定部数Ｎｐに限るので原本性が失われない。また、記憶装置８０は、規定部数Ｎｐを超える超過部数Ｎｓ分を、第２画像形成装置５０にて印刷処理を行わせる。これにより、１つの印刷指示で、ユーザに、規定部数Ｎｐの原本に加えて、超過部数Ｎｓ分の複写物（コピー）を提供することが可能となる。
【００９５】
なお、記憶装置８０は、第１画像形成装置４０内に含まれていても良いし、指示装置９０内に含まれていても良いし、管理装置６０内に含まれていても良いし、それらとは別個の装置（例えばサーバ装置）であっても良い。
【符号の説明】
【００９６】
１，２，３，４，５，６…画像形成システム、１０…画像形成装置、２０…端末装置、３０…通信回線、４０…第１画像形成装置、５０…第２画像形成装置、６０…管理装置、７０…送信装置、８０…記憶装置、９０…指示装置、１５０…供給部、１５１…第１媒体供給部、１５２…第２媒体供給部
【図１】
2018011195.tif 000003
【図２】
2018011195.tif 000004
【図３】
2018011195.tif 000005
【図４】
2018011195.tif 000006
【図５】
2018011195.tif 000007
【図６】
2018011195.tif 000008
【図７】
2018011195.tif 000009
【図８】
2018011195.tif 000010
【図９】
2018011195.tif 000011
【図１０】
2018011195.tif 000012
【図１１】
2018011195.tif 000013
【図１２】
2018011195.tif 000014
【図１３】
2018011195.tif 000015
【図１４】
2018011195.tif 000016
【図１５】
2018011195.tif 000017
【図１６】
2018011195.tif 000018
【図１７】
2018011195.tif 000019
【図１８】
2018011195.tif 000020
【図１９】
2018011195.tif 000021